(57)【要約】      （修正有）【課題】赤外線リモートコントローラの統合型システムを提供する。【解決手段】タッチリモートコントローラ１０は赤外線エミッタ２０と無線接続され、遠隔信号を送信する。各赤外線エミッタは、家庭用電気製品に取り付けられる。この赤外線エミッタが遠隔信号を受信すると、その赤外線エミッタはかかる遠隔信号に従って赤外線信号を生じ、家庭用電気製品にその赤外線信号を出射してこの家庭用電気製品を制御する。赤外線エミッタは、接着剤層又は磁石によって家庭用電気製品に固着され又は引きつけられる。赤外線エミッタを容易に家庭用電気製品に取り付けることができる。【選択図】図２
2015207999.tif 000002
【特許請求の範囲】
【請求項１】
赤外線リモートコントローラの統合型システムであって、
タッチリモートコントローラと、少なくとも１つの赤外線エミッタとを含み、
上記タッチリモートコントローラは、タッチディスプレイと、記憶装置と、処理装置と、第１結合モジュールとを含み、
上記タッチディスプレイは、少なくとも１つの操作インターフェースを提供して制御コマンドを生じ、この少なくとも１つの操作インターフェースはページターニングによって切り替えられ、
上記記憶装置は、複数の赤外線コードを記憶し、各赤外線コードはそれぞれ制御コマンドの１つに対応しており、
上記処理装置は、上記タッチディスプレイ及び上記記憶装置に電気接続され、この処理装置は、タッチディスプレイによって生じた制御コマンドを受信し、それらの制御コマンドと、それらの制御コマンドに対応する記憶装置に記憶される複数の赤外線コードとに従って第１制御信号を生じ、
上記第１結合モジュールは、上記処理装置に接続され、この処理装置により生じた上記第１制御信号を受信し、この第１制御信号に従って遠隔信号を生じてこの遠隔信号を送信し、
上記赤外線エミッタは、第２結合モジュールと、超小型処理装置と、赤外線モジュールと、バッテリモジュールとを含み、
上記第２結合モジュールは、上記第１結合モジュールから送信された遠隔信号を無線で受信するためにタッチリモートコントローラの第１結合モジュールに無線接続され、
上記超小型処理装置は、遠隔信号を受信するために上記第２結合モジュールと電気接続され、かつこの遠隔信号に従って第２制御信号を生じ、
上記赤外線モジュールは、上記赤外線エミッタの第１表面に設けられ、上記第２制御信号を受信するために上記超小型処理装置に電気接続され、対象機器を制御するために上記第２制御信号に従って赤外線信号を生じ、
上記バッテリモジュールは、上記第２結合モジュール、超小型処理装置、及び赤外線モジュールと電気接続されて電力を供給する、赤外線リモートコントローラの統合型システム。
【請求項２】
上記第１表面には、接着剤層又は少なくとも１つの磁石がさらに設けられている請求項１に記載の赤外線リモートコントローラの統合型システム。
【請求項３】
上記赤外線エミッタは、上記バッテリモジュール及び上記第２結合モジュールと電気接続される電力管理モジュールをさらに含み、
上記第２結合モジュールが遠隔信号を設定時間受信しない場合、上記赤外線エミッタは節電モードに入る請求項１に記載の赤外線リモートコントローラの統合型システム。
【請求項４】
上記タッチリモートコントローラは、
赤外線リモートコントローラにより出力された赤外線信号を受信するために上記処理装置に電気接続される赤外線受信モジュールをさらに含み、
上記処理装置は、上記赤外線リモートコントローラにより出力された赤外線信号の赤外線コードと、上記赤外線リモートコントローラにより出力された赤外線コードに対応する機能とを記憶装置に記憶させる請求項１に記載の赤外線リモートコントローラの統合型システム。
【請求項５】
各赤外線エミッタは、通し番号を有し、上記第１制御信号はこの赤外線エミッタの通し番号を含み、
上記タッチリモートコントローラは、遠隔信号を送信するために、上記第１制御信号に含まれるこの赤外線エミッタの通し番号に従って特定の１つの赤外線エミッタに無線接続し、
上記タッチリモートコントローラの処理装置で、使用者は複数の赤外線エミッタ及び制御コマンドを選択でき、複数の第１制御信号及び複数の遠隔信号が生じる請求項１に記載の赤外線リモートコントローラの統合型システム。
【請求項６】
上記タッチリモートコントローラは、上記処理装置に電気接続され、インターネットに無線接続される第３結合モジュールをさらに含み、
上記処理装置は、この第３結合モジュールによってインターネットに接続し、排他的ウェブサイトの排他データベースに接続し、この排他データベースから上記赤外線コードをダウンロードする請求項１に記載の赤外線リモートコントローラの統合型システム。
【請求項７】
スマートモバイル機器をさらに含み、このスマートモバイル機器はインターネットに接続し、インターネット及び上記第３結合モジュールによりタッチリモートコントローラを制御して上記第１制御信号を生じる請求項６に記載の赤外線リモートコントローラの統合型システム。
【請求項８】
上記タッチリモートコントローラは、音響受信モジュールをさらに含み、
この音響受信モジュールは音響信号を受信し、上記処理装置にこの音響信号を送信するために、この処理装置と電気接続され、
上記タッチリモートコントローラの記憶装置はさらに音声認識データベースを記憶し、
この音声認識データベースは、複数の音響信号及び制御コマンドを記録し、各音響信号は上記制御コマンドの１つに対応し、
上記処理装置が音響信号を受信すると、この処理装置は上記音声認識データベースを参照することによりこの音響信号に対応する制御コマンドを決定し、この音響信号に対応する制御コマンドに従って上記第１制御信号を生じ、上記第１結合モジュールにこの第１制御信号を送信する請求項１に記載の赤外線リモートコントローラの統合型システム。
【請求項９】
上記タッチリモートコントローラは、
上記タッチディスプレイ、上記第１結合モジュール、上記処理装置、及び上記記憶装置と電気接続して電力を供給するバッテリモジュール、
上記タッチリモートコントローラの表面に設けられるソーラーパネル、並びに
光力を電力に変換するために上記タッチリモートコントローラのソーラーパネル及び上記タッチリモートコントローラのバッテリモジュールに電気接続され、このタッチリモートコントローラのバッテリモジュールを充電する変換モジュール
をさらに含む請求項１に記載の赤外線リモートコントローラの統合型システム。
【請求項１０】
上記タッチリモートコントローラは、上記タッチリモートコントローラのバッテリモジュール、上記タッチリモートコントローラの変換モジュール、及び上記タッチリモートコ
ントローラの第２結合モジュールと電気接続される電力管理モジュールをさらに含み、
上記タッチディスプレイが制御コマンドを設定時間生じない場合、上記赤外線エミッタは節電モードに入る請求項９に記載の赤外線リモートコントローラの統合型システム。
【請求項１１】
各赤外線エミッタは、
上記赤外線エミッタの上記第１表面の反対側の第２表面に設けられるソーラーパネルと、
光力を電力に変換するために上記ソーラーパネル及び上記バッテリモジュールに電気接続され、このバッテリモジュールを充電する変換モジュールと
をさらに含む請求項１に記載の赤外線リモートコントローラの統合型システム。
【発明の詳細な説明】
【技術分野】
【０００１】
本発明は、統合型システムに関し、とりわけ赤外線リモートコントローラの統合型システムに関する。
【背景技術】
【０００２】
図６に示すように、今日の家庭用電気製品は通常、赤外線リモートコントローラによって制御される。各家庭用電気製品には対応する赤外線リモートコントローラがあり、例えば、テレビ４１、カラオケ装置４２、ＤＶＤプレイヤ４３及びセットトップボックス４４には、それぞれに対応する赤外線リモートコントローラ４１１，４２１，４３１及び４４１が存在する。各々の赤外線リモートコントローラは、この赤外線リモートコントローラに対応する家庭用電気製品を制御できるのみである。従って、使用者が家庭用電気製品の１つを使いたい場合、先ずその使用者は、その家庭用電気製品用の赤外線リモートコントローラを探し、そしてこの赤外線リモートコントローラによってその家庭用電気製品を制御する。家庭用電気製品が増加するに伴い、赤外線リモートコントローラも増加する。必要な赤外線リモートコントローラを迅速に探してその家庭用電気製品を制御するのは容易でない。
【０００３】
赤外線リモートコントローラを用いる場合、赤外線リモートコントローラの赤外線エミッタはその家庭用電気製品の赤外線受信器と位置調整すべきである。赤外線エミッタとその赤外線受信器との間に物体が置かれていると、その赤外線リモートコントローラはこの家庭用電気製品を制御することができない。家庭用電気製品の赤外線受信器は、受信角及び受信領域を有している。赤外線リモートコントローラの赤外線エミッタがその受信角又は受信領域を外れると、その赤外線リモートコントローラはこの家庭用電気製品を制御することができない。
【０００４】
家庭用電気製品は、扉が閉止されている状態のキャビネットの中に置かれることがある。キャビネットの扉が閉止されていると、赤外線リモートコントローラはその家庭用電気製品を制御することができない。使用者がキャビネット内の家庭用電気製品を用いようとすれば、その使用者はキャビネットの扉を開く必要がある。
【０００５】
図７に示すように、リモートコントローラ統合型システムは、ホスト５０、ホストリモートコントローラ５１、及び複数の赤外線トランスミッタ５０１を含む。各赤外線トランスミッタ５０１は、有線でホスト５０と電気接続され、またそれら赤外線トランスミッタ５０１は、家庭用電気製品の赤外線受信器４１２，４２２，４３２，４４２にそれぞれ固着されている。各赤外線トランスミッタ５０１の赤外線出射面は、その家庭用電気製品の赤外線受信器に向けられる。リモートコントローラ５１は、ワイファイ（Ｗｉ−Ｆｉ）、ブルートゥース（Ｂｌｕｅｔｏｏｔｈ（登録商標））、又はジグビー（ＺｉｇＢｅｅ）などの無線接続によりホスト５０と接続される。この無線接続は、赤外線よりも強力である。それゆえ、たとえキャビネットの扉が閉止されても、リモートコントローラはその無線接続によりキャビネット内のホスト５０に接続できる。ホスト５０は、赤外線トランスミッタ５０１に電気接続されて制御信号を送信し、それら赤外線トランスミッタ５０１は、家庭用電気製品の赤外線受信器に赤外線信号を出射して、それら制御信号に従ってその家庭用電気製品を遠隔制御することができる。それゆえ、家庭用電気製品の赤外線リモートコントローラをホストリモートコントローラ５１に統合することができる。
【０００６】
上記ホストリモートコントローラ５１は複数のボタンを有するが、それら家庭用電気製品の赤外線リモートコントローラの全てのボタンに対応する全機能には不十分である。それゆえ、その使用者がホストリモートコントローラ５１を使用してそれら家庭用電気製品を制御する場合、その使用者は、ホストリモートコントローラ５１上のチャネルボタンを押すことによって制御チャネルを選択して、選択された制御チャネルに対応するそれら家庭用電気製品の１つを遠隔制御する必要がある。そのため、その使用者は、全ての家庭用電気製品に対応する全チャネルボタンを記憶するか、又は覚書としてチャネルボタンに印を付けたりする。一方、その使用者が、どのチャネルボタンがどの家庭用電気製品に対応するか忘れてしまい、かつチャネルボタンに覚書がない場合、その使用者は、正しい制御チャネルを見つけるためにチャネルボタンをテストして、その家庭用電気製品を制御する必要がある。さらに、ホスト５０は有線で赤外線トランスミッタ５０１と電気接続されている。たとえ家庭用電気製品がキャビネット内に入れられても、ホスト５０に電気接続するために、やはりキャビネットの外にまで線が伸びてしまう。ホスト５０はキャビネットの中に入れてもよいが、テレビなどのいくつかの家庭用電気製品を閉止されたキャビネット内に入れることはできない。それゆえ、ホスト５０とテレビとを電気接続するために、キャビネットの外に線が伸びる。以上に述べたとおり、リモートコントローラ統合型システムには改善の必要がある。
【発明の概要】
【発明が解決しようとする課題】
【０００７】
本発明の目的は、赤外線リモートコントローラの統合型システムを提供することである。
【課題を解決するための手段】
【０００８】
上記目的を達成するためになされた本発明の赤外線リモートコントローラの統合型システムは、赤外線により制御される家庭用電気製品に適しており、かつタッチリモートコントローラと、少なくとも１つの赤外線エミッタとを含む。
【０００９】
上記タッチリモートコントローラは、タッチディスプレイと、第１結合モジュールと、記憶装置と、処理装置とを含む。このタッチディスプレイは、少なくとも１つの操作インターフェースを備え、そして異なる操作インターフェースは、ページターニングモードに従って切り替えられる。タッチディスプレイはさらに、制御コマンドを生じる。記憶装置は、複数の赤外線コードを記憶し、そして各赤外線コードは上記制御コマンドの１つに対応する。上記処理装置は、タッチディスプレイ及び記憶装置に電気接続されている。処理装置は、タッチディスプレイにより生じた制御コマンドを受信し、そしてそれらの制御コマンドと、それらの制御コマンドに対応する記憶装置に記憶される赤外線コードとに従って第１制御信号を生じる。上記第１結合モジュールは処理装置に電気接続され、処理装置により生じた第１制御信号を受信し、その第１制御信号に従って遠隔信号を生じ、そしてその遠隔信号を送信する。
【００１０】
各赤外線エミッタは、第２結合モジュールと、超小型処理装置と、赤外線モジュールと、バッテリモジュールと、ソーラーパネルと、変換モジュールとを含む。この第２結合モジュールは、タッチリモートコントローラの第１結合モジュールに無線接続しており、これにより第１結合モジュールによって送信された遠隔信号を受信可能に構成される。上記超小型処理装置は、遠隔信号を受信するために第２結合モジュールに電気接続され、第２制御信号を生じる。赤外線モジュールは、第２制御信号に従って赤外線信号を生じる。上記赤外線モジュールは、赤外線エミッタの第１表面に設けられ、赤外線信号を受信するために超小型処理装置に電気接続され、そして赤外線信号を出射する。バッテリモジュールは、上記第２結合モジュール、超小型処理装置、及び赤外線モジュールに電気接続されて電力を供給する。ソーラーパネルは、赤外線エミッタの第２表面に設けられる。変換モジュールは、光力を電力に変換するためにソーラーパネル及びバッテリモジュールに接続され、バッテリモジュールを充電する。
【００１１】
赤外線エミッタは、各家庭用電気製品の赤外線受信器に取り付けられ、またその赤外線エミッタの赤外線モジュールは直接、家庭用電気製品の赤外線受信器に向いている。
【発明の効果】
【００１２】
本発明では、赤外線エミッタとホストとを電気接続する線が不要である。赤外線エミッタは、タッチリモートコントローラに無線接続され、そしてタッチリモートコントローラは直接、赤外線エミッタにより家庭用電気製品を遠隔制御できる。無線であるので、住宅内装デザインの外観を維持することができる。
【図面の簡単な説明】
【００１３】
【図１】本発明に係る赤外線リモートコントローラの統合型システムを示す概略図である。
【図２】本発明に係る赤外線リモートコントローラの統合型システムを示すブロック図である。
【図３】本発明に係る赤外線エミッタを示す斜視図である。
【図４】本発明に係るタッチリモートコントローラの構成及び使用を示す概略図である。
【図５】本発明に係るタッチリモートコントローラの異なる操作インターフェースを示す概略図である。
【図６】家庭用電気製品、及びそれらの家庭用電気製品に対応する従来のリモートコントローラを示す概略図である。
【図７】従来の統合型システムを示す概略図である。
【発明を実施するための形態】
【００１４】
図１及び図２に示すように、本発明は赤外線リモートコントローラの統合型システムに関する。当該統合型システムは、家庭用電気製品の赤外線リモートコントローラを統合し、無線接続によりそれらの家庭用電気製品を遠隔制御する。当該統合型システムは、タッチリモートコントローラ１０と、少なくとも１つの赤外線エミッタ２０とを含む。タッチリモートコントローラ１０は、タッチディスプレイ１１と、第１結合モジュール１２と、処理装置１３と、記憶装置１４とを含む。
【００１５】
上記タッチディスプレイ１１は、少なくとも１つの操作インターフェースを備える。タッチディスプレイ１１が異なる操作インターフェースを有する場合、それらの操作インターフェースは、ページターニングモードに従って切り替えられる。タッチディスプレイ１１はさらに、使用者による操作に対応する制御コマンドを生じる。
【００１６】
処理装置１３は、タッチディスプレイ１１及び記憶装置１４に電気接続される。記憶装置１４は、複数の赤外線コードを記憶し、そして各赤外線コードは、上記制御コマンドの１つに対応する。処理装置１３は、タッチディスプレイ１１により生じた制御コマンドを受信し、それらの制御コマンドと、それらの制御コマンドに対応する記憶装置に記憶される赤外線コードとに従って第１制御信号を生じる。上記第１結合モジュール１２は、処理装置１３に電気接続され、処理装置１３により生じた第１制御信号を受信し、その第１制御信号に従って遠隔信号を生じて、その遠隔信号を送信する。１つの実施形態において、家庭用電気製品は、テレビ３１、カラオケ装置３２、ＤＶＤプレイヤ３３、又はセットトップボックス３４であってよい。各家庭用電気製品３１，３２，３３，３４は、赤外線受信器３１１，３２１，３３１，３４１を備える。操作インターフェースは、人及び機器間の直観的な操作インターフェースである。赤外線エミッタ２０は、赤外線受信器３１１，３２１，３３１，３４１にそれぞれ固着されている。
【００１７】
図２及び図３に示すように、各赤外線エミッタ２０は、第２結合モジュール２１と、超小型処理装置２２と、赤外線モジュール２３と、バッテリモジュール２４と、ソーラーパネル２５と、変換モジュール２６とを含む。
【００１８】
第２結合モジュール２１は、第１結合モジュール１２から送信された遠隔信号を無線で受信するためにタッチリモートコントローラ１０の第１結合モジュール１２に無線接続される。
【００１９】
超小型処理装置２２は、遠隔信号を受信するために第２結合モジュール２１と電気接続され、そしてその遠隔信号に従って第２制御信号を生じる。
【００２０】
赤外線モジュール２３は、赤外線エミッタ２０の第１表面に設けられ、第２制御信号を受信するために超小型処理装置２２に電気接続される。赤外線モジュール２３はさらに、対象機器を制御するために、第２制御信号に従って赤外線信号を生じる。本実施形態において、それら対象機器は家庭用電気製品３１，３２，３３，３４であり得る。
【００２１】
バッテリモジュール２４は、第２結合モジュール２１、超小型処理装置２２及び赤外線モジュール２３と電気接続されて電力を供給する。
【００２２】
ソーラーパネル２５は、赤外線エミッタ２０の第２表面に設けられる。この第２表面は第１表面の反対側の面である。変換モジュール２６は、光力を電力に変換するためにソーラーパネル２５及びバッテリモジュール２４に電気接続され、バッテリモジュール２４を充電する。そのため、赤外線エミッタ２０は、バッテリを交換する必要がない。赤外線エミッタ２０が電力を消費し尽くすと、その使用者は、赤外線エミッタ２０を光照射され得る場所に置き、赤外線エミッタ２０を充電することができる。本実施形態において、第１結合モジュール１２と第２結合モジュール２１との間の無線接続はＺｉｇＢｅｅである。
【００２３】
さらに図１に示すように、複数の赤外線エミッタ２０は、家庭用電気製品３１，３２，３３，３４の赤外線受信器３１１，３２１，３３１，３４１にそれぞれ固着されている。各赤外線エミッタの第１表面は、家庭用電気製品３１，３２，３３，３４に直接固着されている。こうして赤外線エミッタ２０の赤外線モジュール２３は、家庭用電気製品３１，３２，３３，３４の赤外線受信器３１１，３２１，３３１，３４１と位置調整される。本実施形態において、第１表面は、赤外線モジュール２３を覆わない接着剤層２８を含む。これにより、赤外線エミッタ２０は、家庭用電気製品３１，３２，３３，３４に固着可能とされている。
【００２４】
別の実施形態では、赤外線エミッタ２０は、少なくとも１つの磁石（図示せず）を含んでもよく、その磁石は第１表面に設けられる。そして、この赤外線エミッタ２０は、その磁石によって家庭用電気製品３１，３２，３３，３４に引きつけられ得る。
【００２５】
赤外線エミッタ２０は、赤外線モジュール２３によって家庭用電気製品３１，３２，３３，３４のうちの１つに赤外線信号を出射し、その家庭用電気製品３１，３２，３３，３４のうちの１つはタッチリモートコントローラ１０によって遠隔制御され得る。タッチリモートコントローラ１０は、赤外線エミッタ２０と無線接続され、タッチリモートコントローラ１０と赤外線エミッタ２０との間の無線接続は赤外線によるものではない。そのため、家庭用電気製品３１，３２，３３，３４がキャビネットの中に入れられキャビネットの扉が閉止されている場合に、タッチリモートコントローラ１０は赤外線エミッタ２０と無線接続され、各家庭用電気製品３１，３２，３３，３４を遠隔制御するために遠隔信号を送信することができる。
【００２６】
タッチリモートコントローラ１０は、無線接続によって赤外線エミッタ２０を遠隔制御し、そして赤外線エミッタ２０は家庭用電気製品３１，３２，３３，３４の赤外線受信器３１１，３２１，３３１，３４１に赤外線信号を出射する。今日の家庭用電気製品３１，３２，３３，３４は、タッチリモートコントローラ１０に家庭用電気製品３１，３２，３３，３４の赤外線リモートコントロール機能を統合することによって、本発明により制御可能である。実用にあっては、その使用者は、家庭用電気製品３１，３２，３３，３４の赤外線受信器３１１，３２１，３３１，３４１に赤外線エミッタ２０を取り付ける必要があるのみである。その後にはタッチリモートコントローラ１０は家庭用電気製品３１，３２，３３，３４を遠隔制御することができる。本発明には、住宅内装デザインの外観に影響を及ぼすような配線が存在せず、また容易に構成できる。
【００２７】
赤外線エミッタ２０は、さらに電力管理モジュール２７を含んでもよい。電力管理モジュール２７は、バッテリモジュール２４、変換モジュール２６及び第２結合モジュール２１と電気接続され、バッテリモジュール２４の電力を管理する。例えば、タッチリモートコントローラ１０が設定時間使用されないままでいる場合、換言すれば、第２結合モジュール２１が遠隔信号を設定時間受信しない場合、赤外線エミッタ２０の電力管理モジュール２７はバッテリモジュール２４の電力を管理することができ、赤外線エミッタ２０は消費電力を低下させるために節電モードに入る。
【００２８】
節電モードの一例では、消費電力を低下させるように、バッテリモジュール２４は、遠隔信号受信の待ち受けのために第２結合モジュール２１及び電力管理モジュール２７に電力を供給するのみであって、超小型処理装置２２及び赤外線モジュール２３には電力を供給しない。第２結合モジュール２１が遠隔信号を受信すれば、電力管理モジュール２７はバッテリモジュール２４を制御して、超小型処理装置２２及び赤外線モジュール２３に電力を供給する。
【００２９】
図４に示すように、タッチリモートコントローラ１０は、赤外線受信モジュール１５と第３結合モジュール１６とをさらに含む。赤外線受信モジュール１５は、処理装置１３に電気接続される。赤外線受信モジュール１５は、家庭用電気製品３１，３２，３３，３４の赤外線リモートコントローラによって出力された赤外線信号を受信し、そしてこの処理装置１３は、赤外線リモートコントローラにより出力された赤外線信号の赤外線コードと、その赤外線コードに対応する機能とを記憶装置１４に記憶させる。
【００３０】
使用者はさらに、スマートフォン３５４などのスマートモバイル機器を用いることができる。スマートフォン３５４は、インターネット機器３５１を介してインターネット３５２に接続し、そしてインターネット３５２によりタッチリモートコントローラ１０と、そして第３結合モジュール１６を制御することができる。換言すれば、スマートフォン３５４は、タッチリモートコントローラ１０により家庭用電気製品３１，３２，３３，３４を遠隔制御できる。例えば、その使用者が家に不在であるがテレビ３１及びレコーダ（図示せず）を用いてテレビ番組を記録したい場合、その使用者は、テレビ番組を記録するために、どこからでもスマートフォン３５４を使用し、インターネット３５２によってレコーダ及びテレビ３１を遠隔制御することができる。本実施形態において、第３結合モジュール１６はＷｉ−Ｆｉによってインターネット機器３５１に無線接続される。
【００３１】
赤外線コード及び赤外線コードの機能は、赤外線プロトコルに従う。家庭用電気製品の各々は、それぞれの赤外線プロトコルを有する。本実施形態において、家庭用電気製品のそれぞれの赤外線プロトコルは記憶装置１４に記憶される。それゆえ、タッチリモートコントローラ１０を構成するには、家庭用電気製品３１，３２，３３，３４の赤外線リモートコントローラの設定ボタンが押され、そしてテレビ３１の赤外線リモートコントローラ３１２の赤外線エミッタ３１３がタッチリモートコントローラ１０の赤外線受信モジュール１５に向けられる。タッチリモートコントローラ１０は赤外線信号を受信し、どの赤外線プロトコルがテレビ３１に対応するかをその赤外線信号に従って判定し、次いでタッチリモートコントローラ１０はそのテレビ３１を遠隔制御することができる。
【００３２】
第３結合モジュール１６は、処理装置１３に電気接続され、そしてインターネット３５２に接続するためにインターネット機器３５１に無線接続される。それゆえ、タッチリモートコントローラ１０は、第３結合モジュール１６及びインターネット機器３５１によってインターネット３５２に接続することができ、そしてさらに、排他的ウェブサイトの排他データベース３５３に接続することができる。次いで、タッチリモートコントローラ１０は、赤外線信号の赤外線コードと、赤外線コードに対応する機能を、家庭用電気製品３１，３２，３３，３４の赤外線プロトコルに従って排他データベース３５３からダウンロードできる。
【００３３】
図５Ｂ〜５Ｅに関し、テレビ３１に対応するプロトコルが決定すれば、タッチリモートコントローラ１０は図５Ｂに示すようにテレビ３１に対応する操作インターフェースを生じる。各家庭用電気製品３１，３２，３３，３４には、図５Ｃ〜図５Ｅに示すようにそれぞれの操作インターフェースが存在する。操作インターフェースには、記銘を容易にするためにその使用者によって名前をつけることができ、そして操作インターフェースを切り替えるタッチディスプレイ１１の上のスライディングなどのページターニング動作によって、その操作インターフェースは順次切り替えられる。次いでその使用者は、タッチリモートコントローラ１０を使用して、異なる家庭用電気製品３１，３２，３３，３４をそれぞれの操作インターフェースによって遠隔制御することができる。
【００３４】
タッチリモートコントローラ１０は、音響受信モジュール１７をさらに含む。音響受信モジュール１７は、音響信号を受信し、そしてその音響信号を処理装置１３に送信するために処理装置１３と電気接続される。記憶装置１４はさらに、音声認識データベースを記憶する。この音声認識データベースは、複数の音響信号及び音声制御コマンドを記録して、各音響信号は１つの音声制御コマンドに対応する。処理装置１３は、音響受信モジュール１７により出力された音響信号を受信し、そして音声認識データベースを参照することによりそれら音響信号に対応する音声制御コマンドを決定する。処理装置１３は、音響信号に対応する音声制御コマンドに従って第１制御信号を生じ、次いでその使用者は、タッチリモートコントローラ１０を使用して、家庭用電気製品３１，３２，３３，３４を音で制御することができる。
【００３５】
図１及び図２に示すように、タッチリモートコントローラ１０は、ソーラーパネル１８と、変換モジュール１８１と、電力管理モジュール１８２と、バッテリモジュール１８３とをさらに含む。
【００３６】
バッテリモジュール１８３は、タッチディスプレイ１１、第１結合モジュール１２、処理装置１３、記憶装置１４、赤外線受信モジュール１５、第３結合モジュール１６、及び音響受信モジュール１７と電気接続して、電力を供給する。
【００３７】
ソーラーパネル１８は、タッチリモートコントローラ１０の表面に設けられる。
【００３８】
変換モジュール１８１は、光力を電力に変換するためにソーラーパネル１８及びバッテリモジュール１８３に電気接続され、バッテリモジュール１８３を充電する。それゆえ、タッチリモートコントローラ１０はバッテリを交換する必要がない。タッチリモートコントローラ１０が電力を消費し尽くすと、その使用者は、そのタッチリモートコントローラ１０を光照射され得る場所に置き、タッチリモートコントローラ１０を充電することができる。
【００３９】
電力管理モジュール１８２は、タッチディスプレイ１１、変換モジュール１８１、及びバッテリモジュール１８３と電気接続され、バッテリモジュール１８３に蓄えられる電力を管理する。例えば、タッチリモートコントローラ１０が設定時間使用されていない場合、換言すれば、タッチディスプレイ１１が制御コマンドを設定時間のあいだ生じない場合、電力管理モジュール１８２はバッテリモジュール１８３の電力を管理することができ、タッチリモートコントローラ１０は消費電力を低下させるために節電モードに入る。
【００４０】
節電モードの一例では、消費電力を低下させるように、バッテリモジュール１８３は、制御コマンドの待ち受けのためにタッチディスプレイ１１及び電力管理モジュール１８２に電力を供給するのみであって、第１結合モジュール１２、処理装置１３、記憶装置１４、赤外線受信モジュール１５、第３結合モジュール１６、及び音響受信モジュール１７には電力を供給しない。タッチディスプレイ１１が制御コマンドを生じれば、電力管理モジュール１８２はバッテリモジュール１８３を制御して、第１結合モジュール１２、処理装置１３、記憶装置１４、赤外線受信モジュール１５、第３結合モジュール１６及び音響受信モジュール１７に電力を供給する。
【００４１】
各赤外線エミッタ２０は、通し番号（整理番号）を有しており、第１制御信号はその赤外線エミッタ２０の通し番号を含む。タッチリモートコントローラ１０は、遠隔信号を送信するために、第１制御信号に含まれる赤外線エミッタ２０の通し番号に従って特定の赤外線エミッタ２０に無線接続することができる。本実施形態において、タッチリモートコントローラ１０と赤外線エミッタ２０との無線接続はＺｉｇＢｅｅである。ＺｉｇＢｅｅの特徴によれば、タッチリモートコントローラ１０は先ず、いずれの赤外線エミッタ２０にも無線接続でき、そして結果的に、第１制御信号により特定される通し番号に従って接続されている赤外線エミッタ２０により、他のいずれかの赤外線エミッタ２０に無線接続することができる。
【００４２】
図４に示すように、タッチリモートコントローラ１０は、プロファイル機能をさらに含む。その使用者は、あるプロファイルを選択することができ、タッチリモートコントローラ１０の処理装置１３が複数の第１制御信号及び複数の遠隔信号を生じて、赤外線エミッタ２０により自動的に複数の家庭用電気製品を遠隔制御する。選択されたプロファイルに従って処理装置１３により生じる第１制御信号及び遠隔信号は、使用者によって設定される。その使用者は、特定の赤外線エミッタ２０を選択でき、そしてプロファイルの設定に先駆けて選択された各赤外線エミッタ２０に送信される遠隔信号を選択できる。
【００４３】
例えば、その使用者が映画プロファイルを選択する場合、タッチリモートコントローラ１０はＤＶＤプレイヤ３３を遠隔制御して電源を入れ、映画を上映する。タッチリモートコントローラ１０はさらに、テレビ３１を遠隔制御して電源を入れ、そして映画のビデオを再生するために、ＨＤＭＩ（登録商標）などのＤＶＤプレイヤ３３に接続されたビデオ入力を選択する。その使用者が、カラオケプロファイルを選択する場合、タッチリモートコントローラ１０はカラオケ装置３２を遠隔制御してその電源を入れる。タッチリモートコントローラ１０はテレビ３１を遠隔制御して電源を入れ、カラオケ装置３２に接続されたビデオ入力を選択し、このようにして使用者は歌唱を楽しむことができる。
【産業上の利用可能性】
【００４４】
本発明は、タッチリモートコントローラ１０に、家庭用電気製品３１，３２，３３，３４の赤外線リモートコントローラを統合することができる。タッチリモートコントローラ１０は、赤外線エミッタ２０と無線接続され、そしてそれら赤外線エミッタ２０は、家庭用電気製品３１，３２，３３，３４に接着剤層２８によってそれぞれ固着されるか、又は家庭用電気製品３１，３２，３３，３４に磁石によって引きつけられる。赤外線エミッタ２０は、家庭用電気製品３１，３２，３３，３４に容易に取り付けられ、そしてタッチリモートコントローラ１０は、赤外線エミッタ２０により家庭用電気製品３１，３２，３３，３４を制御できる。この１つのタッチリモートコントローラ１０での家庭用電気製品３１，３２，３３，３４の使用は、その使用者にとって非常に好都合である。
【符号の説明】
【００４５】
１０  タッチリモートコントローラ
１１  タッチディスプレイ
１２  第１結合モジュール
１３  処理装置
１４  記憶装置
１５  赤外線受信モジュール
１６  第３結合モジュール
１７  音響受信モジュール
１８  ソーラーパネル
２０  赤外線エミッタ
２１  第２結合モジュール
２２  超小型処理装置
２３  赤外線モジュール
２４  バッテリモジュール
２５  ソーラーパネル
２６  変換モジュール
２７  電力管理モジュール
２８  接着剤層
３１  テレビ
３２  カラオケ装置
３３  ＤＶＤプレイヤ
３４  セットトップボックス
４１  テレビ
４２  カラオケ装置
４３  ＤＶＤプレイヤ
４４  セットトップボックス
５０  ホスト
５１  ホストリモートコントローラ
１８１  変換モジュール
１８２  電力管理モジュール
１８３  バッテリモジュール
３１１，３２１，３３１，３４１  赤外線受信器
３１２  赤外線リモートコントローラ
３１３  赤外線エミッタ
３５４  スマートフォン
３５１  インターネット機器
３５２  インターネット
３５３  排他データベース
４１１，４２１，４３１，４４１  赤外線リモートコントローラ
４１２，４２２，４３２，４４２  赤外線受信器
５０１  赤外線トランスミッタ
【図１】
2015207999.tif 000003
【図２】
2015207999.tif 000004
【図３】
2015207999.tif 000005
【図４】
2015207999.tif 000006
【図５】
2015207999.tif 000007
【図６】
2015207999.tif 000008
【図７】
2015207999.tif 000009